(57)【要約】【課題】地上の起伏に応じて安定に配置することができる散水器を実現する。【解決手段】散水器１は、給水の供給経路を接続するための接続部を一端に有する給水受入管２と、給水受入管２から突出して設けられた、給水を噴出するための噴水部３と、噴水部３が起立状態になるよう給水受入管２を地上で支持するための支持体４とを備えている。支持体４は、噴水部３の突出方向と交差する方向から噴水部３の突出方向に向けて回転可能に給水受入管２に取付けられている。散水器１を使用する場合は、支持体４を地上Ｇ上に設置する。支持体４は、給水受入管２に回転可能に取付けられているため、地上Ｇの起伏に応じて傾斜し、給水受入管２を安定に支持する。【選択図】　　　　図４
2004057155.tif 000002
【特許請求の範囲】
【請求項１】
給水の供給経路を接続するための接続部を一端に有する給水受入管と、
前記給水受入管から突出して設けられた、前記給水を噴出するための噴水部と、
前記噴水部が起立状態になるよう前記給水受入管を地上で支持するための支持体とを備え、
前記支持体は、前記噴水部の突出方向と交差する方向から前記噴水部の突出方向に向けて回転可能に前記給水受入管に取付けられている、
散水器。
【請求項２】
前記支持体は、前記給水受入管を挟んで配置された一対の枠状体を有し、前記枠状体のそれぞれは、前記噴水部の突出方向と交差する方向から前記噴水部の突出方向に向けて回転可能に前記給水受入管に取付けられている、請求項１に記載の散水器。
【請求項３】
前記枠状体のそれぞれは、前記給水受入管を底辺とする三角形状に設定されている、請求項２に記載の散水器。
【請求項４】
前記枠状体のぞれぞれは、前記給水受入管を挟んで対向する位置に、外方向に突出する把手を有している、請求項２または３に記載の散水器。
【発明の詳細な説明】
【０００１】
【発明の属する技術分野】
本発明は、散水器、特に、給水を噴出するための噴水部を備えた散水器に関する。
【０００２】
【従来の技術とその課題】
ゴルフ場や大規模庭園などの緑地において芝生等の植物に散水する場合、散水作業の効率性を高めるためにスプリンクラーなどの散水器を用いる場合が多い。ここで、散水器は、通常、ホース等の給水の供給経路を接続するための接続部を一端に有する給水受入管と、当該給水受入管に取付けられた、給水を噴出するための噴水部と、給水受入管を地上で支持するための支持脚とを備えている。この種の散水器を用いて散水する場合は、支持脚により、緑地の任意の場所に散水器を設置する。そして、ホースの一端を散水栓側に接続し、また、ホースの他端を給水受入管の接続部に接続する。この状態で散水栓を開放すると、散水栓からの給水は、ホースを通じて給水受入管内に供給され、噴水部から噴出する。これにより、散水器の設置場所付近には、噴水部から噴出した水が散布される。
【０００３】
ところで、上述のような緑地は、なだらかな起伏を有している場合が多い。したがって、散水器は、そのような起伏部に配置した場合、支持脚の接地状態が不安定になる。すなわち、起伏部に散水器を配置した場合、支持脚は、起伏の状態に応じて傾斜した状態で配置されることになり、不安定になる。また、この場合は、噴水部も傾斜した状態になるため、散水が不安定になり、噴水部から噴出する水の勢いで散水器が転倒する可能性もある。
【０００４】
本発明の目的は、地上の起伏に応じて安定に配置することができる散水器を実現することにある。
【０００５】
【課題を解決するための手段】
本発明の散水器は、給水の供給経路を接続するための接続部を一端に有する給水受入管と、給水受入管から突出して設けられた、給水を噴出するための噴水部と、噴水部が起立状態になるよう給水受入管を地上で支持するための支持体とを備えている。ここで、支持体は、噴水部の突出方向と交差する方向から噴水部の突出方向に向けて回転可能に給水受入管に取付けられている。
【０００６】
この散水器を使用する場合は、支持体を地上に設置する。支持体は、、給水受入管に回転可能に取付けられているため、地上の起伏に応じて傾斜させることができる。したがって、支持体は、起伏を有する地上において、給水受入管を安定に支持することができる。
【０００７】
この散水器において、支持体は、例えば、給水受入管を挟んで配置された一対の枠状体を有し、一対の枠状体のそれぞれは、噴水部の突出方向と交差する方向から噴水部の突出方向に向けて回転可能に給水受入管に取付けられている。この場合、一対の枠状体のそれぞれは、例えば、給水受入管を底辺とする三角形状に設定されている。また、一対の枠状体のぞれぞれは、例えば、給水受入管を挟んで対向する位置に、外方向に突出する把手を有している。
【０００８】
【発明の実施の形態】
図１〜図３を参照して、本発明の実施の一形態に係る散水器を説明する。なお、図１は散水器の斜視図、図２は散水器の平面図（但し、後述する噴水器１２は省略している）、図３は散水器を図１の矢印ＩＩＩ方向から見た側面図である。図において、散水器１は、主に、給水受入管２と、噴水部３と、支持体４とを備えている。
【０００９】
給水受入管２は、管状体５と台座６とを主に備えている。管状体５は、両端が開口した直線状の管状部材であり、一端に給水経路７（図２参照）を接続するための接続部８が設けられている。給水経路７は、管状体５に対して水を供給するためのものであり、通常、水道栓等の散水栓から延びるホースである。また、管状体５の他端には、同様の接続部９が設けられている。接続部９側の開口は、通常、栓１０により液密に閉鎖されている。台座６は、管状体５を支持するためのものであって管状体５の下部に一体的に固定されており、底面が平面状に形成されている。
【００１０】
噴水部３は、給水経路７から管状体５に供給された給水を噴出するためのものであり、管状体５から突出して設けられた取付部１１と、取付部１１の先端に取付けられた噴水器１２とを主に備えている。取付部１１は、管状体５の長さ方向の中央部から直交するように起立して設けられた管状の部材であり、管状体５の内部に連絡している。噴水器１２は、管状体５から取付部１１を経由して供給される給水を噴出するためのものであり、例えば給水をシャワー状等にして上方に噴出するためのノズルやスプリンクラーヘッドである。因みに、噴水器１２がスプリンクラーヘッドの場合、当該噴水器１２は、取付部１１に対して回転可能に取付けられており、取付部１１を中心とした環状に給水を噴出可能に設定されている。
【００１１】
支持体４は、給水受入管２を地上で支持するためのものであり、一対の枠状体１３、１３を備えている。各枠状体１３、１３のそれぞれは、給水受入管２の長さ方向を底辺とする三角形状に設定されており、図３に示すように、給水受入管２を挟んで水平に配置されている。ここで、各枠状体１２の底辺の両端部分は、それぞれヒンジ１４を用いて給水受入管２の台座６に対して取付けられている。各ヒンジ１４は、図３に二点鎖線で示すように、枠状体１３が水平方向から噴水部３に向けて起立する方向に回転可能なように枠状体１３を台座６に対して保持している。すなわち、各枠状体１３は、給水受入管２からの噴水部３の突出方向（すなわち、垂直方向）と交差する方向（水平方向）から噴水部３の突出方向に向けて回転可能なように台座６に対して取付けられていることになる。
【００１２】
また、各枠状体１３、１３のそれぞれは、給水受入管２を挟んで離れて対向する頂点位置に把手１５を有している。把手１５は、枠状体１３の外方向に突出している。
【００１３】
次に、上述の散水器１の使用方法を説明する。
ゴルフ場や庭園等の緑地において、散水器１を用いて散水する場合は、管状体５の接続部８に対して給水経路７を取付けた状態で、散水器１を地上に設置する。ここで、散水器１は、図１〜３に示すように、枠状体１３、１３を水平に開いた状態に設定し、この枠状体１３、１３が地上に接地するよう配置する。そして、給水経路７が連絡している水道栓等の散水栓を開放すると、散水栓からの水は、給水経路７を通じて管状体５内に導入される。管状体５内に導入された水は、取付部１１を通じて噴水器１２に供給され、この噴水器１２から噴出する。これにより、散水器１を設置した地上付近には、噴出器１２から噴出する水が散水される。
【００１４】
ところで、図４に示すように、散水器１を設置する地上Ｇは、起伏を有している場合がある。この場合、散水器１は、図４に示すように、支持体４の各枠状体１３、１３が地上の起伏に応じて水平方向から噴水部３の起立方向に自在に傾斜するので、当該起伏を有する地上Ｇ上に安定に設置することができる。また、その結果、噴水部３は、垂直方向に起立した状態になる。したがって、散水器１は、起伏を有する地上Ｇにおいても転倒しにくく、安定に散水することができる。
【００１５】
なお、散水する緑地が広い場合、数台の散水器１を用いて散水する場合があるが、この場合、上述の散水器１は、互いに連結しながら使用することができる。具体的には、散水器１を複数台用意し、散水器１間をホースで接続する。ここでは、例えば、上流側の散水器１の接続部９と下流側の散水器１の接続部８とをホースで接続し、複数の散水器１を直列に接続する。そして、最も下流に位置する散水器１の接続部９に栓１０を取付ける。このようにして複数の散水器１を直列に接続すれば、一つの散水栓から供給される水を複数の散水器１に対して同時に供給することができ、広範な緑地に対して効果的に散水することができる。
【００１６】
この実施の形態の散水器１は、上述のようにして使用した後、図３に二点鎖線で示すように、枠状体１３、１３を水平状態から噴水部３の突出方向に約９０度起立させると、コンパクトに折り畳むことができる。そして、折り畳まれた散水器１は、各枠状体１３、１３に設けられた把手１５、１５が互いに近接した対状態になるため、当該把手１５、１５部分を片手で握って容易に搬送することができる。
【００１７】
また、散水器１は、上述のようにコンパクトに折り畳むことができる結果、従来のような嵩高い散水器とは異なり、例えば、倉庫内等の限られた空間に多数個を積み重ねて効率的に収納することができる。
【００１８】
なお、上述の実施の形態では、支持体４の枠状体１３を三角形状に形成しているが、枠状体１３を半円状や四角状等の他の形状に形成した場合も本発明を同様に実施することができる。
【００１９】
【発明の効果】
本発明の散水器は、給水受入管を地上で支持するための支持体が、噴水部の突出方向と交差する方向から噴水部の突出方向に向けて回転可能に給水受入管に取付けられているため、地上の起伏に応じて安定に配置することができる。
【図面の簡単な説明】
【図１】本発明の実施の一形態に係る散水器の斜視図。
【図２】前記散水器の平面図。
【図３】前記散水器を図１の矢印ＩＩＩ方向から見た側面図。
【図４】前記散水器を地上に設置した状態の一例を示す図。
【符号の説明】
１　散水器
２　給水受入管
３　噴水部
４　支持体
８　接続部
１３　枠状体
１５　把手
【図１】
2004057155.tif 000003
【図２】
2004057155.tif 000004
【図３】
2004057155.tif 000005
【図４】
2004057155.tif 000006